(57)【特許請求の範囲】
【請求項１】
サッシ枠に１つの障子を閉じ位置と開き位置とに亘って面内方向に開閉自在に装着し、
前記障子における閉じ位置で縦枠に当接しない縦框に係止片を設け、
前記サッシ枠における閉じ位置の障子における前記縦框と面外方向に対向した位置に係止受片を取付け、
前記障子に突出部材を設け、
前記係止受片は、支持位置と退避位置とに亘って面外方向に移動自在で、かつ支持位置よりも前記障子側に向けて面外方向に移動しないように取付け、
前記障子が閉じ位置の時には前記係止片が係止受片に係止して支持位置に保持することで障子の前記縦框が、面外方向における前記係止受片と離れる方向に移動しないようにし、
前記障子が閉じ位置から開き位置に向けて開放すると前記係止片と係止受片が離れ、かつ前記突出部材によって係止受片が退避位置に移動するようにしたことを特徴とする引き戸。
【請求項２】
サッシ枠に複数の障子を閉じ位置と開き位置とに亘って面内方向に開閉自在に装着し、
前記面内方向に隣接した２つの障子が閉じ位置の時に面外方向に対向した２つの縦框の一方に係止片を設け、他方には係止受片を取付け、
前記係止片を設けた障子に突出部材を設け、
前記係止受片は、支持位置と退避位置とに亘って面外方向に移動自在で、かつ支持位置よりも前記係止片を取付けた障子側に面外方向に移動しないように取付け、
前記隣接した２つの障子が閉じ位置の時には、前記係止片が係止受片に係止して支持位置に保持することで隣接した２つの障子の縦框相互が面外方向に離れないようにし、
前記隣接した２つの障子の一方の障子が閉じ位置から開き位置に向けて開放すると前記係止片と係止受片が離れ、かつ前記突出部材によって係止片が退避位置に移動するようにしたことを特徴とする引き戸。
【請求項３】
退避位置の係止受片を支持位置に向けて移動する弾性部材を設けた請求項１又は２記載の引き戸。
【請求項４】
障子を構成する框組体に突出部材を、その框組体の面外方向における係止受片と対向した面よりも前記係止受片に向けて突出して設けた請求項１又は２又は３記載の引き戸。
【発明の詳細な説明】
【技術分野】
【０００１】
本発明は、浴室戸などに用いられる引き戸に関する。
【背景技術】
【０００２】
引き戸としては、特許文献１に開示したようにサッシ枠に１つの障子を開き位置と閉じ位置とに亘って面内方向に開閉自在に装着した片引き戸、特許文献２に開示したようにサッシ枠に２つの障子を開き位置と閉じ位置とに亘って面内方向に開閉自在に装着した２枚引き戸などが知られている。
【０００３】
【特許文献１】特開２００２−１１５４６２号公報
【特許文献２】特開平８−１３５３２３号公報
【発明の開示】
【発明が解決しようとする課題】
【０００４】
前述した引き戸においては、障子が閉じ位置の時に、その障子におけるサッシ枠の縦枠に当接する縦框部分は面外方向にしっかりと支持することができるが、その障子におけるサッシ枠に当接しない縦框部分は面外方向に支持することができない。
このために、片引き戸の場合には障子におけるサッシ枠の縦枠に当接しない縦框に係止片を設け、サッシ枠に係止受片を設けることで、障子が閉じ位置の時に係止片が係止受片に係止することにより縦枠に当接しない縦框部分を面外方向に支持し、その縦框部分が係止受片と離れる方向に移動しないようにしている。
また、２枚引き戸の場合には２つの障子における縦枠に当接しない縦框に係止片と係止受片を相対向して設けることで、２つの障子が閉じ位置の時に係止片が係止受片に係止することにより２つの縦框相互が面外方向に離れないように支持できるようにしている。
【０００５】
前述した障子としては框組体にガラスを装着したものが一般的であるが、浴室用の引き戸に用いる障子の場合などには框組体に樹脂面材を装着している。
このように、框組体に樹脂面材を装着した障子を用いた引き戸においては、その樹脂面材が温度変化によって伸びて面外方向に反る（つまり、熱反り）ことがあり、樹脂面材が熱反りしたままの状態で障子を開閉すると、樹脂面材が前述の係止受片に接触することがある。
特に、浴室用の引き戸に用いる障子においては、樹脂面材と框組体の浴室側面との段差を小さくして、その段差部分に湯水が溜まり難くして、カビが発生しないようにすることがあり、この場合には樹脂面材が框組体の面外方向中央よりも浴室側面寄りであるから、前述のように樹脂面材が熱反りしたままで障子を開閉すると係止受片に接触する。
【０００６】
前述のように、障子を開閉する時に樹脂面材が係止受片に接触すると、障子を開閉する力が大きくなると共に、樹脂面材に傷がついたりする。
【０００７】
本発明の目的は、障子における閉じ位置で縦枠と当接しない縦框部分を係止片と係止受片を係止することで面外方向に支持できると共に、障子の樹脂面材が熱反りしたままの状態で障子を開閉した時に、その樹脂面材が係止受片に接触することがないようにした引き戸とすることである。
【課題を解決するための手段】
【０００８】
本発明は、サッシ枠に１つの障子を閉じ位置と開き位置とに亘って面内方向に開閉自在に装着し、
前記障子における閉じ位置で縦枠に当接しない縦框に係止片を設け、
前記サッシ枠における閉じ位置の障子における前記縦框と面外方向に対向した位置に係止受片を取付け、
前記障子に突出部材を設け、
前記係止受片は、支持位置と退避位置とに亘って面外方向に移動自在で、かつ支持位置よりも前記障子側に向けて面外方向に移動しないように取付け、
前記障子が閉じ位置の時には前記係止片が係止受片に係止して支持位置に保持することで障子の前記縦框が、面外方向における前記係止受片と離れる方向に移動しないようにし、
前記障子が閉じ位置から開き位置に向けて開放すると前記係止片と係止受片が離れ、かつ前記突出部材によって係止受片が退避位置に移動するようにしたことを特徴とする引き戸である。
【０００９】
本発明は、サッシ枠に複数の障子を閉じ位置と開き位置とに亘って面内方向に開閉自在に装着し、
前記面内方向に隣接した２つの障子が閉じ位置の時に面外方向に対向した２つの縦框の一方に係止片を設け、他方には係止受片を取付け、
前記係止片を設けた障子に突出部材を設け、
前記係止受片は、支持位置と退避位置とに亘って面外方向に移動自在で、かつ支持位置よりも前記係止片を取付けた障子側に面外方向に移動しないように取付け、
前記隣接した２つの障子が閉じ位置の時には、前記係止片が係止受片に係止して支持位置に保持することで隣接した２つの障子の縦框相互が面外方向に離れないようにし、
前記隣接した２つの障子の一方の障子が閉じ位置から開き位置に向けて開放すると前記係止片と係止受片が離れ、かつ前記突出部材によって係止片が退避位置に移動するようにしたことを特徴とする引き戸とすることもできる。
【００１０】
本発明においては、退避位置の係止受片を支持位置に向けて移動する弾性部材を設けることができる。
【００１１】
このようにすれば、突出部材で押されて退避位置に移動している係止受片が、突出部材と離れることで支持位置に向けて移動するので、障子を閉じ位置とした時に係止片が係止受片に確実に係止する。
【００１２】
本発明においては、障子を構成する框組体に突出部材を、その框組体の面外方向における係止受片と対向した面よりも前記係止受片に向けて突出して設けることができる。
【００１３】
このようにすれば、突出部材は框組体の面外方向における係止受片と対向した面よりも大きく突出することができるから、その框組体に装着した樹脂面材が大きく熱反りした場合でも、障子開閉時に熱反りした樹脂面材が係止受片に接触しないようにできる。
【発明の効果】
【００１４】
本発明によれば、障子における閉じ位置で縦枠と当接しない縦框部分を係止片と係止受片を係止することで面外方向に支持できる。
例えば、サッシ枠に１つの障子を装着した引き戸の場合には、縦框を、係止片と係止受片を係止することで、面外方向における係止受片と離れる方向に移動しないように支持でき、サッシ枠に複数に障子を装着した引き戸の場合には、面外方向に対向した２つの縦框相互を、係止片と係止受片を係止することで縦框相互が面外方向に離れないように支持できる。
また、障子を開閉する時には障子に設けた突出部材で係止受片が退避位置に移動し、障子の框組体に装着した樹脂面材と離れるので、その樹脂面材が熱反りしたままの状態で障子を開閉しても、その樹脂面材が係止受片に接触することがない。
【発明を実施するための最良の形態】
【００１５】
図１に示すように、サッシ枠１に１つの障子１０を開き位置と閉じ位置とに亘って面内方向に開閉自在に装着して片引き戸としてある。
前記サッシ枠１は、上枠２と下枠３と一方の縦枠４と他方の縦枠５と縦骨６で開口部７と枠部８を有する形状で、その開口部７が障子１０で開閉されると共に、その枠部８にはパネル９が設けてある。
前記障子１０は、上框１１と下框１２と一方の縦框１３と他方の縦框１４を方形状に連結した框組体１５内に樹脂面材１６を装着してある。
【００１６】
この実施の形態の片引き戸においては、図２に示すように樹脂面材１６は框組体１５の面外方向の中央部よりも面外方向一側寄りで、框組体１５の面外方向一側面１５ａと樹脂面材１６の段差を小さくしてある。
このようであるから、樹脂面材１６が熱反りすると框組体１５の面外方向一側面１５ａよりも面外方向一側方に張り出しする。前記片引き戸は浴室用で、その樹脂面材１６は熱反りで框組体１５の浴室側面（面外方向一側面）よりも浴室側（面外方向一側方）に張り出しする。
前述の説明における面内方向とは一方の縦枠４と他方の縦枠５方向で、障子の開閉方向である。面外方向とは面内方向と直角な方向で、図２に示す浴室側と脱衣室側の方向である。
【００１７】
前記障子１０が閉じ位置の時には図３に示すように、一方の縦框１３が一方の縦枠４に当接し、他方の縦框１４が縦骨６と面外方向に対向して開口部７を閉じる。
前記障子１０が開き位置の時には図４に示すように、一方の縦框１３が縦骨６と面外方向に対向し、他方の縦框１４が他方の縦枠５寄りに位置して開口部７を開放する。
【００１８】
前記障子１０の他方の縦框１４、つまり障子閉じ位置で縦枠と当接しない縦框には係止片２０が設けてある。例えば、他方の縦框１４の面外方向一側面１４ａ（浴室側面）に係止片２０が一体的に設けてある。
前記サッシ枠１の縦骨６、つまりサッシ枠１における閉じ位置の障子１０における他方の縦框１４と面外方向に対向した位置には係止受片３０が設けてある。例えば、縦骨６の面外方向他側部６ａ（脱衣室側面）に係止受片３０が設けてある。
この係止受片３０は、図３に示すように面外方向他側方（脱衣室側）の支持位置と、図４に示すように面外方向一側方（浴室側）の退避位置とに亘って移動可能である。係止受片３０が退避位置の時には、その係止受片３０は縦骨６の面外方向他側面よりも突出しない。
【００１９】
前記障子１０には、図２に示すように、その框組体１５の面外方向における前記係止受片３０と対向した面、例えば面外方向一側面１５ａよりも面外方向一側方に向けて（つまり係止受片３０に向けて）突出した突出部材４０が設けてある。例えば、上框１１の面外方向一側面１１ａ（浴室側面）と下框１２の面外方向一側面１２ａ（浴室側面）に突出部材４０がビス４１でそれぞれ取付けてある。
なお、突出部材４０は上框１１、下框１２と一体であっても良い。
【００２０】
この突出部材４０は障子１０が閉じ位置の時に、図３に示すように、係止受片３０よりも閉じ側に位置して突出部材４０は係止受片３０と離隔している。これによって、係止受片３０は支持位置と退避位置とに亘って移動可能である。
そして、障子１０が閉じ位置の時に図３に示すように、係止片２０が係止受片３０に係止し、その係止受片３０を支持位置よりも障子１０側に移動しないように保持して障子１０の他方の縦框部分を面外方向における係止受片３０と離れる方向に移動しないように支持する。
【００２１】
図３に示す閉じ位置の障子１０を開き位置に向けて移動、つまり開放すると、前記係止片２０が係止受片３０と離隔し、係止受片３０は支持位置から退避位置に移動可能となる。
これと同時に、前記突出部材４０が係止受片３０に接して係止受片３０を退避位置に移動し、図４に示すように障子１０が開き位置の時にも係止受片３０に接し続ける。開き位置から閉じ位置まで障子１０を移動する時の突出部材４０は係止受片３０に接している。
【００２２】
このようであるから、係止受片３０は障子１０を閉じ位置と開き位置との間で移動する時、つまり障子開閉時に突出部材４０で面外方向一側方に押されて障子１０と離れる面外方向の退避位置となるので、樹脂面材１６が熱反りで框組体１５の面外方向一側面１５ａよりも張り出した状態で障子１０を開閉しても樹脂面材１６が係止受片３０に接触しないようにできる。
【００２３】
次に、前記係止片２０、係止受片３０、突出部材４０の具体形状を説明する。
前記係止片２０は図５、図６に示すように、他方の縦框１４に設けた鉤形片２１と、この鉤形片２１に設けた当接片２２を備えている。
前記鉤形片２１は、他方の縦框１４の面外方向一側面１４ａに一体的に設けた突片２１ａと、この突片２１ａと一体的な横向片２１ｂで鉤形状で、その突片２１ａは面外方向に向かい、横向片２１ｂは面内方向の閉じ側に向かう。
前記当接片２２の当接面２２ａは面外方向に斜めで、引き寄せ面としてある。この当接片２２は短尺で鉤形片２１の長手方向に間隔を置いた位置に複数設けてある。なお、当接片２２は長尺でも良い。
前記他方の縦框１４の面外方向一側面１４ａにおける係止片２０よりも面内方向内側位置にシール材２３が装着してある。このシール材２３は面外方向一側方に向かうと共に、前記横向片２１ｂと対向している。
【００２４】
前記縦骨６の室外側部６ａにヒンジ３１が取付けてあり、このヒンジ３１に前記係止受片３０の基部３０ａが図５に示す支持位置と図６に示す退避位置とに亘って回動自在に取付けてある。係止受片３０が支持位置の時には、その先部３０ｂが面内方向に向かう。この実施の形態では退避位置の係止受片３０が支持位置に向けて回動するように弾性部材３２が設けてある。
【００２５】
このようであるから、障子１０が閉じ位置の時には図５に示すように、係止片２０の当接片２２の当接面２２ａが係止受片３０の先部３０ｂに接し、その係止受片３０を支持位置よりも面外方向他側方（障子１０側）に回動しないように保持すると共に、他方の縦框１４に面外方向一側方に向かう力が作用して障子１０の他方の縦框１４部分を引き寄せると共に、他方の縦框１４部分を面外方向における係止受片３０と離れる方向に移動しないように支持する。
しかも、係止受片３０（先部３０ｂ）がシール材２３に圧着し、係止受片３０と他方の縦框１４との間をシールする。
【００２６】
前述の状態から図６に示すように障子１０を開放すると、係止片２０が係止受片３０から離隔する。
これと同時に、突出部材４０の長手方向の一端面４０ａが係止受片３０に接して退避位置に向けて回動し、さらに障子１０が開放すると図６に示すように突出部材４０の面外方向一側面４０ｂが係止受片３０に接して退避位置に回動する。
そして、前述の状態から障子１０を閉じることで突出部材４０の一端面４０ａが係止受片３０から離れる。
【００２７】
これによって、退避位置の係止受片３０が弾性部材３２で支持位置に向けて回動し、その係止受片３０を係止片２０が係止する位置となるようにする。
つまり、係止受片３０が退避位置のままであると係止片２０が係止しないことがあるので、弾性部材３２で前述の係止する位置まで回動させる。この係止する位置とは支持位置でも良いし、支持位置よりも退避位置寄りでも良い。
また、退避位置の係止片３０に係止片２０が係止するのであれば弾性部材３２は不要である。
【００２８】
この実施の形態では、ヒンジ３１によって係止受片３０を支持位置よりも障子１０側に向けて回動しないように保持している。
以下、その詳細を説明する。
図７に示すように、係止受片３０の基部３０ａは、第１円弧片３３と第２円弧片３４で円弧形状で、ピン支持部３５を有している。
この第１円弧片３３の一部分を切欠きして除去する。
前記ヒンジ３１は本体３６にピン３７を設けると共に、その本体３６に段付孔３８と取付孔３９を形成してある。
前記段付き孔３８に鍔付きの円筒４３を挿入し、その円筒４３をコイルスプリング４４で段付孔３８の小径孔３８ａから突出し、鍔４３ａを段付孔３８の段部３８ｂに当接する。
そして、本体３６が縦骨６の室外側部６ａにビス４５で固着して取付ける。
【００２９】
前記係止受片３０の第１円弧片３３の切欠部３３ａの長手方向寸法をヒンジ３１の本体３６の上下寸法とほぼ同一とし、この切欠部３３ａを本体３６に嵌め込んで第２円弧片３３を本体３６のピン周縁部３６ａに対向させると共に、ピン３７をピン支持部３５に挿入して係止受片３０をヒンジ３１に回動自在に取付ける。
そして、係止受片３０が支持位置の時には、図５に示すように、第２円弧片３４の端面３４ａが本体３６の外面３６ｂに当接して支持位置に保持する。
また、係止受片３０が退避位置の時には、図６に示すように円筒４３が係合受片３０に当接し、コイルスプリング４４で円筒４３が押されることによって係止受片３０を支持位置に向けて回動する。
つまり、コイルスプリング４４が前述の弾性部材３２に相当する。
【００３０】
前記係止受片３０は面外方向に平行移動して支持位置と退避位置に移動するようにしても良い。
例えば、図８、図９に示すように縦骨６の室外側部６ａに面外方向他側方に開口したガイド溝４６を形成し、このガイド溝４６に係止受片３０の基部３０ａを面外方向に平行に移動自在に設ける。
そして、弾性部材３２で退避位置の係止受片３０を支持位置に向けて移動する。
【００３１】
このようにすれば、障子１０が閉じ位置の時には図８に示すように、係止片２０が係止受片３０の先部３０ｂに係合して支持位置よりも面外方向他側方（障子１０側）に移動しないように保持されると共に、障子１０の他方の縦框１４部分を面外方向における前記係止受片３０と離れる方向に移動しないように支持する。
前記障子１０が開放すると図９に示すように突出部材４０が係止受片３０に接して退避位置に平行移動する。
【００３２】
前述の各実施の形態においては、片引き戸について述べたが、２枚引き戸、３枚引き戸においても同様に、障子１０における縦枠に当接しない縦框部分を面外方向に離れないように支持することができる。
例えば、図１０に示すようにサッシ枠１に３つの障子１０を面内方向に開閉移動自在に装着し、３つの障子１０を閉じ位置とした時に、面内方向一方側の第１の障子１０の一方の縦框１３が一方の縦枠４に当接し、面内方向他方側の第３の障子１０の他方の縦框１４が他方の縦枠５に当接し、面内方向中間の第２の障子１０の一方の縦框１３と第１の障子１０の他方の縦框１４が面外方向に対向し、第２の障子１０の他方の縦框１４と第３の障子１０の一方の縦框１３が面外方向に対向する３枚引き戸の場合には、前述のように面外方向に対向した一方の縦框に停止受片３０を前述と同様に支持位置と退避位置に移動自在に設け、他方の縦框には係止片２０を前述のように設け、この係止片２０を設けた障子１０の上框、下框の面外方向一側面に突出部材４０を前述と同様に取付ける。
【００３３】
このようにすれば、面内方向に隣接した２つの障子１０が閉じ位置の時には、図１１に示すように係止片２０が係止受片３０に係止して面外方向に対向した２つの縦框相互を面外方向に離れないように支持できる。
また、前述の状態からどちらか一方の障子１０を開放すると図１２に示すように係止片２０と係止受片３０が離れると共に、突出部材４０によって係止受片３０を退避位置とすることができる。
【００３４】
前述のことは、サッシ枠１に２つの障子１０を装着した２枚引き戸、サッシ枠１に４つ以上の障子１０を装着した引き戸の場合でも同様である。
この場合にも、係止受片３０は支持位置と退避位置とに亘って回動しても良いし、平行移動するようにしても良い。
【００３５】
つまり、サッシ枠１に２つ以上の障子１０を開閉自在に装着した引き戸の場合には、面内方向に隣接した２つの障子における面外方向に対向した２つの縦框における一方の縦框に係止受片３０を取付け、他方の縦框に係止片２０を設けると共に、この係止片２０を取付けた障子１０、好ましくは框組体１５に、障子開閉時に前記係止受片３０を退避位置に移動する突出部材４０を設ければ良い。
【図面の簡単な説明】
【００３６】
【図１】本発明の実施の形態を示す片引き窓の外観図である。
【図２】図１のＡ−Ａ断面図である。
【図３】障子が閉じ位置の状態の横断面図である。
【図４】障子が開き位置の状態の横断面図である。
【図５】係止片が係止受片に係止した状態の拡大説明図である。
【図６】係止片が係止受片から離れた状態の拡大説明図である。
【図７】係止受片とヒンジの分解斜視図である。
【図８】係止受片の他の実施の形態を示す係止状態の横断面図である。
【図９】係止受片の他の実施の形態を示す離れた状態の横断面図である。
【図１０】本発明の第２の実施の形態を示す３枚引き戸の横断面図である。
【図１１】係止片と係止受片が係止している状態の横断面図である。
【図１２】係止片と係止受片が離れている状態の横断面図である。
【符号の説明】
【００３７】
１…サッシ枠、４…一方の縦枠、５…他方の縦枠、６…縦骨、１０…障子、１１…上框、１２…下框、１３…一方の縦框、１４…他方の縦框、１５…縦組体、１５ａ…面外方向一側面、１６…樹脂面材、２０…係止片、３０…係止受片、３１…ヒンジ、３２…弾性部材、４０…突出部材。
【図１】
0004412556.tif 000002
【図２】
0004412556.tif 000003
【図３】
0004412556.tif 000004
【図４】
0004412556.tif 000005
【図５】
0004412556.tif 000006
【図６】
0004412556.tif 000007
【図７】
0004412556.tif 000008
【図８】
0004412556.tif 000009
【図９】
0004412556.tif 000010
【図１０】
0004412556.tif 000011
【図１１】
0004412556.tif 000012
【図１２】
0004412556.tif 000013